(57)【要約】【課題】ガイダンス機能の柔軟な利用が可能な電子機器を提供する。【解決手段】電子機器１は、ガイダンスの対象となる作業がされる時にガイダンスをする第１の態様において、ガイダンスの停止を命令する第１の命令キー７３と、ガイダンスの対象となる作業がされる時にガイダンスをしない第２の態様において、ガイダンスの実行を命令する第２の命令キー８３と、第１の命令キー７３でガイダンスの停止がされた作業が次にされる時に、ガイダンスの態様を第１の態様とするか又は第２の態様とするかを選択する第１の選択キー７５と、第２の命令キー８３でガイダンスの実行がされた作業が次にされる時に、ガイダンスの態様を第１の態様とするか又は第２の態様とするかを選択する第２の選択キー８５と、を備える。【選択図】図６
2009182388.tif 000002
【特許請求の範囲】
【請求項１】
ガイダンス機能を有する電子機器であって、
ガイダンスの対象となる作業がされる時にガイダンスをする第１の態様において、ガイダンスの停止を命令する第１の命令キーと、
ガイダンスの対象となる作業がされる時にガイダンスをしない第２の態様において、ガイダンスの実行を命令する第２の命令キーと、
前記第１の命令キーでガイダンスの停止がされた作業が次にされる時に、ガイダンスの態様を前記第１の態様とするか又は前記第２の態様とするかを選択する第１の選択キーと、
前記第２の命令キーでガイダンスの実行がされた作業が次にされる時に、ガイダンスの態様を前記第１の態様とするか又は前記第２の態様とするかを選択する第２の選択キーと、を備える
ことを特徴とする電子機器。
【請求項２】
前記電子機器では、前記ガイダンス機能のオンオフを設定する設定画面を呼び出して前記ガイダンス機能のオンオフが設定され、
前記ガイダンス機能がオンに設定されている時に、前記第１及び第２の命令キー並びに前記第１及び第２の選択キーの操作が可能にされている
ことを特徴とする請求項１に記載の電子機器。
【請求項３】
前記電子機器は個人認証部を備え、
前記個人認証部で認証された個人が、前記第１の選択キー、前記第２の選択キーのそれぞれにより、前記第１の態様とするか又は前記第２の態様とするかの選択をする場合、前記個人認証部で認証された個人毎に選択をさせる
ことを特徴とする請求項１又は２に記載の電子機器。
【請求項４】
前記第１の命令キーでガイダンスの停止がされた作業の終了後に前記第１の選択キーでの選択をさせ、
前記第２の命令キーでガイダンスの実行がされた作業の終了後に前記第２の選択キーでの選択をさせる
ことを特徴とする請求項１〜３のいずれか一項に記載の電子機器。
【発明の詳細な説明】
【技術分野】
【０００１】
本発明は、例えば音声ガイダンス機能付き複合機のような電子機器に関する。
【背景技術】
【０００２】
複合機には音声ガイダンス機能を有するものがあり、これによれば音声ガイダンスの対象となる作業（例えばワンタッチキーの登録、紙詰まりへの対処）をユーザが行う際に音声ガイダンスされるので、ユーザはスムーズに作業をすることができる。
【０００３】
音声ガイダンス機能をオンに設定していても、ガイダンスの停止及び停止したガイダンスの再生を作業中に任意にできる機能を有する複合機が提案されている（例えば特許文献１参照）。
【特許文献１】特開２００５−２７８０１１号公報
【発明の開示】
【発明が解決しようとする課題】
【０００４】
本発明の目的は、ガイダンス機能の柔軟な利用が可能な電子機器を提供することである。
【課題を解決するための手段】
【０００５】
本発明はガイダンス機能を有する電子機器であって、ガイダンスの対象となる作業がされる時にガイダンスをする第１の態様において、ガイダンスの停止を命令する第１の命令キーと、ガイダンスの対象となる作業がされる時にガイダンスをしない第２の態様において、ガイダンスの実行を命令する第２の命令キーと、前記第１の命令キーでガイダンスの停止がされた作業が次にされる時に、ガイダンスの態様を前記第１の態様とするか又は前記第２の態様とするかを選択する第１の選択キーと、前記第２の命令キーでガイダンスの実行がされた作業が次にされる時に、ガイダンスの態様を前記第１の態様とするか又は前記第２の態様とするかを選択する第２の選択キーと、を備える。
【０００６】
本発明に係る電子機器では、前記ガイダンス機能のオンオフを設定する設定画面を呼び出して前記ガイダンス機能のオンオフが設定され、前記ガイダンス機能がオンに設定されている時に、前記第１及び第２の命令キー並びに前記第１及び第２の選択キーの操作が可能にされている、ようにすることができる。
【０００７】
これによれば、設定画面でガイダンス機能をオンに設定しておけば、上記設定画面を再び呼び出して操作することなく、上記キーを操作することによってガイダンス機能の柔軟な利用が可能となる。
【０００８】
本発明に係る電子機器は個人認証部を備え、前記個人認証部で認証された個人が、前記第１の選択キー、前記第２の選択キーのそれぞれにより、前記第１の態様とするか又は前記第２の態様とするかの選択をする場合、前記個人認証部で認証された個人毎に選択をさせる、ようにすることができる。
【０００９】
これによれば、第１の命令キーでガイダンスの停止がされた作業が次にされる時及び第２の命令キーでガイダンスの実行がされた作業が次にされる時に、ガイダンスの態様を第１の態様とするか又は第２の態様とするかの選択を個人毎にすることができる。
【００１０】
本発明に係る電子機器において、前記第１の命令キーでガイダンスの停止がされた作業の終了後に前記第１の選択キーでの選択をさせ、前記第２の命令キーでガイダンスの実行がされた作業の終了後に前記第２の選択キーでの選択をさせる、ようにすることができる。
【００１１】
これによれば、ガイダンスの態様を第１の態様とするか又は第２の態様とするかの選択を作業の終了後にさせるので、第１の態様か又は第２の態様かの判断を的確にすることができる。
【発明の効果】
【００１２】
本発明に係る電子機器でのガイダンスの態様には、ガイダンスの対象となる作業がされる時にガイダンスをする第１の態様とガイダンスの対象となる作業がされる時にガイダンスをしない第２の態様がある。上記作業をする者は、必要に応じて、第１の態様ではガイダンスを停止させることができ、第２の態様ではガイダンスを実行させることができる。さらに、ガイダンスの停止がされた作業が次にされる時及びガイダンスの実行がされた作業が次にされる時には、それぞれ、その作業に限定してガイダンスの態様を第１の態様とするか又は第２の態様とするかを選択することができる。したがって、本発明に係る電子機器によれば、ガイダンス機能の柔軟な利用が可能となる。
【発明を実施するための最良の形態】
【００１３】
本発明の実施形態について図面を用いて説明する。図１は、本実施形態に係る電子機器１の構成を示すブロック図である。電子機器１は、コピー、ファクシミリ、スキャナ及びプリンタの機能を有する複合機である。
【００１４】
電子機器１は、制御部３、画像読取部５、画像記録部７、表示部９、操作部１１、モデム１３、ＮＣＵ１５、ＲＯＭ１９、ＲＡＭ２１、画像メモリ２３、ハードディスク２５、コーデック２７、ＬＡＮインターフェース２９、音声出力部３３等が相互にバス３５で接続された構成を有する。制御部３は、例えばＣＰＵにより実現されており、電子機器１を構成する上記ハードウェアを制御すると共に電子機器１の動作に必要なソフトウェアを実行する。
【００１５】
画像読取部５は、ＣＣＤ等によって画像（文字、図、写真等）を読み取って画像データとして出力する。画像記録部７は、電子写真方式等のプリンタであり、画像読取部５から出力された画像データやファクシミリ通信により受信した別のファクシミリ機からの画像データを画像に戻し、この画像が記録された用紙を出力する。
【００１６】
表示部９は、電子機器１の動作状態、各種設定内容等を表示する。表示部９は、ＬＣＤ、ＣＲＴ等で実現される。操作部１１は、電子機器１の操作に必要なキー（テンキー、スタートキー、リセットキー、各種のファンクションキー等）を備える。
【００１７】
モデム１３は、通常のファクシミリ通信用のファクシミリモデムの機能を有する。また、モデム１３は、ＮＣＵ１５と直接に接続されている。ＮＣＵ１５は、公衆電話回線１７を閉結及び開放する機能の他に、通信する相手方の電話番号に応じたダイヤルパルスを送出する機能及び着信を検出する機能を有する。また、ＮＣＵ１５は、モデム１３を必要に応じて公衆電話回線１７に接続する。
【００１８】
ＲＯＭ１９は、フラッシュメモリ等により実現されており、電子機器１の動作に必要なソフトウェアを記憶している。ＲＡＭ２１は、ＳＲＡＭ、ＤＲＡＭ等により実現されている。ＲＡＭ２１は、ソフトウェアの実行時に発生するデータの一時的な記憶及びアプリケーションソフトの記憶等に利用される。    
【００１９】
画像メモリ２３は、ＤＲＡＭ等で実現されており、送信すべき画像データ、受信した画像データ及び画像読取部５から出力された画像データ等を一時的に記憶する。ハードディスク２５は、ファクシミリ通信の対象となる画像データ等を記憶する。電子機器１ではファクシミリの送信予約情報や通信履歴に、通信対象となる画像を含めている。この画像を形成するのにハードディスク２５に記憶されている上記画像データを利用する。
【００２０】
コーデック２７は、画像データを符号化圧縮すると共に符号化圧縮されている画像データを復号する。ＬＡＮインターフェース２９は、電子機器１がＬＡＮ３１と通信可能に接続するインターフェースである。
【００２１】
音声出力部３３は、スピーカ等により実現され、音声ガイダンスをする時の音声が出力される。
【００２２】
図２は、本実施形態に係る電子機器１に備えられる操作パネル４１の平面図である。操作パネル４１は、図１の表示部９及び操作部１１として機能する。操作パネル４１は、タッチパネル４３及び各種のハードキー（モード選択キー４５、テンキー４７、スタートキー４９、クリアキー５１、割込みキー５３、リセットキー５５等）を備える。各キーは、通常の複合機に備えられるそれらの名称のキーと同様の目的で使用される。例えば、「ファクシミリ」のモード選択キー４５を押すことにより、電子機器１をファクシミリモードに切り替えることができる。
【００２３】
電子機器１は音声ガイダンス機能を有する。よって、音声ガイダンスの対象となる作業をユーザが行う時には、その作業の仕方について電子機器１は音声ガイダンスをする。音声ガイダンスの対象となる作業としては、例えば、電子機器１の各種設定（ファクシミリの画質、両面コピー等）、各種登録（ワンタッチキーの登録、Ｆコード登録等）、各種エラーへの対処（紙詰まりへの対処等）が挙げられる。
【００２４】
音声ガイダンス機能のオンオフを設定するには、タッチパネル４３を操作して、図３に示すように音声ガイダンスの設定画面６１を呼び出す必要がある。例えば、音声ガイダンス機能をオフからオンに設定を切り替えるには、次のようにする。まず、タッチパネル４３の取り消しキー６３を操作して音声ガイダンス機能のオフを取り消す。次に、タッチパネル４３の「オン」の文字画像に触れて音声ガイダンス機能のオンを選択する。そして、タッチパネル４３の確定キー６５を操作する。
【００２５】
次に、本実施形態に係る電子機器１による音声ガイダンスについて、ファクシミリの画質の設定を例にして説明する。図４及び図５は、ファクシミリの画質を設定する設定画面がタッチパネル４３に表示された操作パネル４１の平面図である。図４に示す画質の設定画面７１は、音声ガイダンスの対象となる作業がされる時に音声ガイダンスをする第１の態様での設定画面である。これに対して、図５に示す画質の設定画面８１は、音声ガイダンスの対象となる作業がされる時に音声ガイダンスをしない第２の態様での設定画面である。
【００２６】
画質の設定画面７１，８１には、ファクシミリ送信の際の画質の種類を示す「標準」、「高画質」、「超高画質」、「写真」、「車検証」の文字画像が含まれる。ここで「車検証」とは、原稿の背景を読み取らない設定である。車検証等のような地模様及び／又は地色を有する原稿を送信する時に利用することができる。「車検証」に設定すれば、原稿の背景の読み取りがなされないので、送信時間を短縮することができる。
【００２７】
ユーザが操作パネル４１を操作してファクシミリの画質の設定画面を呼び出した場合、図４に示す画質の設定画面７１又は図５に示す画質の設定画面８１がタッチパネル４３に表示される。設定画面７１が表示されれば、画質の設定に関する事項（画質の種類の説明、画質の設定方法等）について音声によりガイダンスされる。
【００２８】
ユーザは画質の設定について慣れており、音声ガイダンスの必要がないと判断すれば、設定画面７１に含まれる第１の命令キー７３を操作する。これにより、画質の設定に関する事項の音声ガイダンスが停止される。
【００２９】
この停止と並行して図６に示すようにタッチパネル４３には、設定画面７１の上に重ねて、第１の選択キー７５が表示される。第１の選択キー７５の「はい」の文字画像を操作すれば、画質の設定を次回する時に音声ガイダンスがされない。したがって、画質の設定を次回する時には、図５に示す設定画面８１（第２の態様）が表示される。一方、第１の選択キー７５の「いいえ」の文字画像を操作すれば、画質の設定を次回する時に音声ガイダンスがされる。よって、画質の設定を次回する時には、図４に示す設定画面７１（第１の態様）が表示される。
【００３０】
このように第１の選択キー７５によれば、第１の命令キー７３でガイダンスの停止がされた作業（本実施形態では画質の設定）が次にされる時に、ガイダンスの態様を第１の態様とするか又は第２の態様とするかを選択することができる。
【００３１】
ファクシミリの画質の設定画面を呼び出すことにより、図５に示す設定画面８１が表示されれば、音声ガイダンスをしない。ユーザは音声ガイダンスが必要と判断すれば（例えば「車検証」の設定の意味を忘れた場合）、設定画面８１に含まれる第２の命令キー８３を操作する。これにより、画質の設定に関する事項について音声ガイダンスが実行される。
【００３２】
音声ガイダンスと並行して、図７に示すようにタッチパネル４３には、第２の選択キー８５が設定画面８１の上に重ねて表示される。第２の選択キー８５の「はい」の文字画像を操作すれば、次回の画質の設定では音声ガイダンスがなされる。よって、次回の画質の設定では、図４に示す設定画面７１（第１の態様）が表示される。これに対して、第２の選択キー８５の「いいえ」の文字画像を操作すれば、次回の画質の設定では音声ガイダンスがなされない。したがって、次回の画質の設定では、図５に示す設定画面８１（第２の態様）が表示される。
【００３３】
よって、第２の選択キー８５によれば、第２の命令キー８３でガイダンスの実行がされた作業が次にされる時に、ガイダンスの態様を第１の態様とするか又は第２の態様とするかを選択することができる。
【００３４】
本実施形態では、第１の命令キー７３を「音声ガイダンス停止」の文字画像とし、第２の命令キー８３を「音声ガイダンス実行」の文字画像としている。しかしながら、画質の設定画面７１，８１の大きさに余裕がなければ、例えば、第１の命令キー７３及び第２の命令キー８３を「音声」の文字画像にしてもよい。作業をする者の注意を引くために、「音声」の文字画像の色を異ならせてもよい（例えば、第１の命令キー７３では「音声」の文字を赤色とし、第２の命令キー８３では「音声」の文字を青色とする）。
【００３５】
本実施形態の主な効果を説明する。電子機器１での音声ガイダンスの態様には、ファクシミリの画質の設定（音声ガイダンスの対象となる作業の一例）がされる時に音声ガイダンスをする第１の態様とファクシミリの画質の設定がされる時に音声ガイダンスをしない第２の態様がある。ファクシミリの画質の設定をする者は、その設定中に必要に応じて、画質の設定画面７１，８１で次の（１）、（２）の操作をすることができる。
【００３６】
（１）第１の態様
第１の態様では音声ガイダンスがされており、図４に示すように、画質の設定画面７１の第１の命令キー７３を操作して音声ガイダンスを停止させることができる。音声ガイダンスの停止と並行して、図６に示すように第１の選択キー７５が画質の設定画面７１上に重ねて表示される。そして、次に画質の設定をする時に、画質の設定に限定して音声ガイダンスの態様を第１の態様とするか又は第２の態様とするかを第１の選択キー７５を操作して選択することができる。
（２）第２の態様
一方、第２の態様では音声ガイダンスがされておらず、図５に示すように、画質の設定画面８１の第２の命令キー８３を操作して音声ガイダンスを実行させることができる。音声ガイダンスの実行と並行して、図７に示すように第２の選択キー８５が画質の設定画面８１上に重ねて表示される。そして、第１の態様と同様に、次に画質の設定をする時に、画質の設定に限定して音声ガイダンスの態様を第１の態様とするか又は第２の態様とするかを第２の選択キー８５を操作して選択することができる。
【００３７】
以上のように、本実施形態に係る電子機器１によれば、音声ガイダンス機能の柔軟な利用が可能となる。
【００３８】
また、本実施形態に係る電子機器１では、図３に示す音声ガイダンスの設定画面６１で音声ガイダンス機能がオンに設定されている時に、第１の命令キー７３及び第２の命令キー８３並びに第１の選択キー７５及び第２の選択キー８５の操作が可能にされている。したがって、設定画面６１で音声ガイダンス機能をオンに設定しておけば、画質の設定中に図３に示す音声ガイダンスの設定画面６１を再び呼び出して操作することなく、上記キーを操作することによって、上述した音声ガイダンス機能の柔軟な利用が可能となる。
【００３９】
ところで、音声ガイダンスの対象となる作業について、次から音声ガイダンスを必要としないか（第２の態様）又は音声ガイダンスを必要とするか（第１の態様）は個人毎に異なる。本実施形態に係る電子機器１は個人認証部を備えることにより、第１の選択キー７５、第２の選択キー８５のそれぞれで、第１の態様とするか又は第２の態様とするかの選択をする場合、個人認証部で認証された個人毎に選択することができるようにしている。これについて説明する。
【００４０】
複合機のような電子機器１は、オフィス等で多数の者により利用されることがあるので、セキュリティのために個人認証部を備える機種がある。複合機で用いられる個人認証としては、例えば（１）パスワード、（２）ＩＤカード、（３）生体認証が挙げられる。
【００４１】
パスワードによる個人認証が最も簡単であり、それによれば個人認証部の機能は図１の制御部３、表示部９、操作部１１及びＲＡＭ２１等により実現される。ＩＤカードではＩＤカードを読み取るためのカードリーダ、生体認証では生体認証のためのセンサが個人認証部としてさらに必要となる。
【００４２】
例えば、個人認証されたユーザＡ、ユーザＢが別々に電子機器１を利用し、図６に示す画質の設定画面７１において、ユーザＡは第１の選択キー７５の「はい」の文字画像を操作し、ユーザＢは第１の選択キー７５の「いいえ」の文字画像を操作したとする。ユーザＡについては、次回のファクシミリ通信で画質の設定をする時、図５に示す画質の設定画面８１が表示される。これに対して、ユーザＢについては、図４に示す画質の設定画面７１が表示される。
【００４３】
したがって、本実施形態によれば個人認証部を備えることにより、画質の設定中に音声ガイダンスの停止又は実行の命令をした場合、次に画質の設定がされる時に音声ガイダンスの態様を第１の態様とするか又は第２の態様とするかの選択を個人毎にすることができる。よって、音声ガイダンス機能のより柔軟な利用が可能となる。
【００４４】
本実施形態では、第１の命令キー７３で音声ガイダンスの停止を命令すれば、直ちに第１の選択キー７５を表示し、画質の設定が次にされる時に音声ガイダンスの態様を第１の態様とするか又は第２の態様とするかを選択させている。第２の命令キー８３で音声ガイダンスの実行を命令した場合も同様である。しかしながら、画質の設定が次にされる時に音声ガイダンスの態様を第１の態様とするか又は第２の態様とするかを、後で選択できるようにしてもよい。
【００４５】
すなわち、第１の命令キー７３で音声ガイダンスを停止した時、画質の設定の終了後に第１の選択キー７５での選択をさせ、第２の命令キー８３で音声ガイダンスを実行した時、画質の設定の終了後に第２の選択キー８５での選択をさせるのである。これによれば、次回に画質の設定をする時、音声ガイダンスの態様を第１の態様とするか又は第２の態様とするかの選択を画質の設定の終了後にするので、画質の設定中に選択する場合に比べて、第１の態様か又は第２の態様かの判断を的確にすることができる。
【００４６】
本実施形態は、電子機器１として複合機を例に説明した。本発明に適用できる電子機器としては、例えばファクシミリ専用機、コピー専用機、スキャナ専用機でもよく、また携帯電話でもよい。
【００４７】
本実施形態では音声を用いたガイダンスを例に説明したが、文字を用いたガイダンスに本発明を適用してもよい。
【図面の簡単な説明】
【００４８】
【図１】本実施形態に係る電子機器１の構成を示すブロック図である。
【図２】本実施形態に係る電子機器１に備えられる操作パネル４１の平面図である。
【図３】本実施形態に係る電子機器１において、音声ガイダンスの設定画面６１がタッチパネル４３に表示された操作パネル４１の平面図である。
【図４】本実施形態に係る電子機器１において、ファクシミリの画質の設定画面７１（第１の態様）がタッチパネル４３に表示された操作パネル４１の平面図である。
【図５】本実施形態に係る電子機器１において、ファクシミリの画質の設定画面８１（第２の態様）がタッチパネル４３に表示された操作パネル４１の平面図である。
【図６】図４の設定画面７１（第１の態様）の上に重ねて第１の選択キー７５が表示されている操作パネル４１の平面図である。
【図７】図５の設定画面８１（第２の態様）の上に重ねて第２の選択キー８５が表示されている操作パネル４１の平面図である。
【符号の説明】
【００４９】
１・・・電子機器、３・・・制御部、５・・・画像読取部、７・・・画像記録部、９・・・表示部、１１・・・操作部、１３・・・モデム、１５・・・ＮＣＵ、１７・・・公衆電話回線、１９・・・ＲＯＭ、２１・・・ＲＡＭ、２３・・・画像メモリ、２５・・・ハードディスク、２７・・・コーデック、２９・・・ＬＡＮインターフェース、３１・・・ＬＡＮ、３３・・・音声出力部、３５・・・バス、４１・・・操作パネル、４３・・・タッチパネル、４５・・・モード選択キー、４７・・・テンキー、４９・・・スタートキー、５１・・・クリアキー、５３・・・割込みキー、５５・・・リセットキー、６１・・・音声ガイダンスの設定画面、６３・・・取り消しキー、６５・・・確定キー、７１・・・画質の設定画面、７３・・・第１の命令キー、７５・・・第１の選択キー、８１・・・画質の設定画面、８３・・・第２の命令キー、８５・・・第２の選択キー
【図１】
2009182388.tif 000003
【図２】
2009182388.tif 000004
【図３】
2009182388.tif 000005
【図４】
2009182388.tif 000006
【図５】
2009182388.tif 000007
【図６】
2009182388.tif 000008
【図７】
2009182388.tif 000009